(57)【要約】【課題】表示装置専用のリモコンを用いることなく選局用画面を表示し得る表示装置を提供する。【解決手段】表示部１１と、受信した赤外線信号Ｓｉ（選局操作信号）に応じて複数のチャンネルのうちのいずれかのチャンネルに対応するテレビ映像Ｐｔを表示部１１に表示させる制御部（制御部１５、信号処理部１６、タイマ１７および受光部１８）とを備え、制御部は、予め規定された第１の所定時間に亘って赤外線信号Ｓｉを受信したときに、複数のチャンネルのうちの少なくとも一部のチャンネルにそれぞれ対応する各映像を多画面表示する選局用画面を表示部１１に表示させる。【選択図】図１
2006101089.tif 000002
【特許請求の範囲】
【請求項１】
表示部と、受信した選局操作信号に応じて複数のチャンネルのうちのいずれかのチャンネルに対応する映像を前記表示部に表示させる制御部とを備え、
前記制御部は、予め規定された第１の所定時間に亘って前記選局操作信号を受信したときに、前記複数のチャンネルのうちの少なくとも一部のチャンネルにそれぞれ対応する各映像を多画面表示する選局用画面を前記表示部に表示させる表示装置。
【請求項２】
前記制御部は、前記各チャンネル毎に対応付けられているチャンネル指定ボタン、各チャンネルを昇順で順次切り替えるためのアップボタン、および各チャンネルを降順で順次切り替えるためのダウンボタンのいずれかの選局操作ボタンの操作に伴って出力される前記選局操作信号を前記第１の所定時間に亘って受信したときに前記選局用画面を前記表示部に表示させる請求項１記載の表示装置。
【請求項３】
前記制御部は、前記第１の所定時間に亘って前記選局操作信号を受信したときに、前記選局用画面と、前記選局用画面内の前記各映像よりも広い領域に前記いずれかのチャンネルに対応する前記映像を表示する主映像画面とを前記表示部に並べて表示させる請求項１または２記載の表示装置。
【請求項４】
前記制御部は、前記選局用画面を前記表示部に表示させた状態においていずれかのチャンネルを指定する前記選局操作信号を受信したときに、当該指定されたチャンネルに対応する前記映像を前記表示部に全画面表示させる請求項１から３のいずれかに記載の表示装置。
【請求項５】
前記制御部は、前記表示部に表示させた前記選局用画面内の前記各映像のうちのいずれかの映像が選択された状態において予め規定された第２の所定時間が経過したときに、当該選択されている映像のチャンネルに対応する映像を前記表示部に全画面表示させる請求項１から４のいずれかに記載の表示装置。
【請求項６】
請求項１から５のいずれかに記載の表示装置と、前記各チャンネルに対応する前記映像を前記表示部に表示させるための放送信号を取得する信号取得部とを備えているテレビ。
【請求項７】
前記信号取得部は、放送波を受信して前記放送信号を抽出するチューナを複数備えている請求項６記載のテレビ。
【発明の詳細な説明】
【技術分野】
【０００１】
本発明は、複数のチャンネルのうちのいずれかのチャンネルに対応する映像が表示部に表示される表示装置、およびその表示装置を備えたテレビに関するものである。
【背景技術】
【０００２】
この種のテレビとして、多画面表示テレビジョン受像機（以下、「テレビジョン受像機」ともいう）が特開平１０−１４５６９９号公報に開示されている。この場合、このテレビジョン受信機は、付属のリモコンによって遠隔操作が可能に構成され、制御部が、リモコン信号に応じてチューナを制御して所定のチャンネルを選局させて、テレビ放送の映像を受像管に表示させる。また、リモコンのマルチボタンが操作されたときには、制御部は、いずれかのチャンネルに対応する映像を表示する主画面と、選局用の複数の静止画像（各チャンネルに対応する画像）を表示する副画面とを受像管に表示させる（多画面表示モード）。この際には、所定のボタン操作によっていずれかのチャンネルが選局されたときに、制御部が、チューナを制御して選局されたチャンネルを受信させ、そのチャンネルに対応する映像を受像管に全画面表示させる。
【特許文献１】特開平１０−１４５６９９号公報（第４−８頁、第１−６図）
【発明の開示】
【発明が解決しようとする課題】
【０００３】
ところが、従来のテレビジョン受像機には、以下の問題点がある。すなわち、このテレビジョン受信機（テレビ）では、リモコンのマルチボタンが操作されたときに、制御部が多画面表示モードで主画面および副画面を受像管に表示させる。一方、近年のＡＶ機器（ビデオデッキやＤＶＤプレーヤ等）に付属されているＡＶ機器専用リモコンは、その機器の遠隔操作のみならず、テレビについての遠隔操作も可能に構成されている。また、遠隔操作対象のテレビやＡＶ機器を利用者が設定することでメーカや製造時期が相違する複数種類のテレビやＡＶ機器のうちから所望の機器についての遠隔操作を可能とする汎用リモコンも存在する。しかし、上記のＡＶ機器専用リモコンや汎用リモコンには、従来のテレビジョン受像機に付属しているリモコンに特有のマルチボタンは設けられていない。このため、従来のテレビジョン受像機には、ＡＶ機器専用リモコンや汎用リモコンを操作して副画面（選局用画面）を受像管に表示させることができないという問題点がある。
【０００４】
本発明は、かかる問題点に鑑みてなされたものであり、表示装置専用のリモコンを用いることなく選局用画面を表示し得る表示装置およびテレビを提供することを主目的とする。
【課題を解決するための手段】
【０００５】
上記目的を達成すべく本発明に係る表示装置は、表示部と、受信した選局操作信号に応じて複数のチャンネルのうちのいずれかのチャンネルに対応する映像を前記表示部に表示させる制御部とを備え、前記制御部は、予め規定された第１の所定時間に亘って前記選局操作信号を受信したときに、前記複数のチャンネルのうちの少なくとも一部のチャンネルにそれぞれ対応する各映像を多画面表示する選局用画面を前記表示部に表示させる。
【０００６】
この表示装置、および表示装置を備えたテレビでは、予め規定された第１の所定時間に亘って選局操作信号を受信したときに、制御部が複数のチャンネルのうちの少なくとも一部のチャンネルに対応する各映像を多画面表示する選局用画面を表示部に表示させる。したがって、この表示装置およびテレビによれば、例えばＡＶ機器専用リモコンや汎用リモコンなどのような表示装置やテレビの専用のリモコンとは異なる他の各種リモコン（多画面表示モードに切替え操作するための専用ボタンを備えていないリモコン）を用いて表示部に選局用画面を表示させることができる。この結果、各種リモコンを用いて各チャンネルでどのような放送がされているかを確認して容易に選局することができる。
【０００７】
また、本発明に係る表示装置は、上記の表示装置において、前記各チャンネル毎に対応付けられているチャンネル指定ボタン、各チャンネルを昇順で順次切り替えるためのアップボタン、および各チャンネルを降順で順次切り替えるためのダウンボタンのいずれかの選局操作ボタンの操作に伴って出力される前記選局操作信号を前記第１の所定時間に亘って受信したときに前記制御部が前記選局用画面を前記表示部に表示させる。
【０００８】
この表示装置、および表示装置を備えたテレビでは、チャンネル指定ボタン、アップボタンおよびダウンボタンのいずれかの選局操作ボタンの操作に伴って出力される選局操作信号を第１の所定時間に亘って受信したときに制御部が選局用画面を表示部に表示させる。したがって、この表示装置およびテレビによれば、選局操作を行うための上記各ボタンを操作することで選局用画面を表示部に表示させることができる。この結果、違和感のないボタン操作で選局用画面を表示させて各チャンネルでどのような放送がされているかを確認して容易に選局することができる。
【０００９】
さらに、本発明に係る表示装置は、上記の表示装置において、前記第１の所定時間に亘って前記選局操作信号を受信したときに、前記制御部が、前記選局用画面と、前記選局用画面内の前記各映像よりも広い領域に前記いずれかのチャンネルに対応する前記映像を表示する主映像画面とを前記表示部に並べて表示させる。
【００１０】
この表示装置、および表示装置を備えたテレビでは、第１の所定時間に亘って選局操作信号を受信したときに、制御部が選局用画面と主映像画面とを表示部に並べて表示させる。したがって、この表示装置およびテレビによれば、選局用画面と並んで表示部に表示されている主映像画面を見ながら選局操作を行うことができる。
【００１１】
また、本発明に係る表示装置は、上記の表示装置において、前記選局用画面を前記表示部に表示させた状態においていずれかのチャンネルを指定する前記選局操作信号を受信したときに、前記制御部が当該指定されたチャンネルに対応する前記映像を前記表示部に全画面表示させる。
【００１２】
この表示装置、および表示装置を備えたテレビでは、選局用画面を表示部に表示させた状態においていずれかのチャンネルを指定する選局操作信号を受信したときに、制御部が指定されたチャンネルに対応する映像を表示部に全画面表示させる。したがって、この表示装置およびテレビによれば、例えばＡＶ機器専用リモコンや汎用リモコンなどのような表示装置やテレビの専用のリモコンとは異なる他の各種リモコン（選局用画面から全画面表示に切替え操作するための専用ボタンを備えていないリモコン）を用いて表示部に所望のチャネルに対応する映像を全画面表示させることができる。
【００１３】
さらに、本発明に係る表示装置は、上記の表示装置において、前記表示部に表示させた前記選局用画面内の前記各映像のうちのいずれかの映像が選択された状態において予め規定された第２の所定時間が経過したときに、前記制御部が当該選択されている映像のチャンネルに対応する映像を前記表示部に全画面表示させる。
【００１４】
この表示装置、および表示装置を備えたテレビでは、表示部に表示させた選局用画面内の各映像のうちのいずれかの映像が選択された状態において予め規定された第２の所定時間が経過したときに、制御部が選択されている映像のチャンネルに対応する映像を表示部に全画面表示させる。したがって、この表示装置およびテレビによれば、例えばＡＶ機器専用リモコンや汎用リモコンなどのような表示装置やテレビの専用のリモコンとは異なる他の各種リモコン（選局用画面から全画面表示に切替え操作するための専用ボタンを備えていないリモコン）を用いて表示部に所望のチャネルに対応する映像を全画面表示させることができる。また、チャネル指定ボタンを備えていない各種のリモコンを用いて所望のチャンネルを選局して表示部に映像を全画面表示させることができる。
【００１５】
また、本発明に係るテレビは、上記の表示装置と、前記各チャンネルに対応する前記映像を前記表示部に表示させるための放送信号を取得する信号取得部とを備えている。また、本発明に係るテレビは、前記信号取得部が、放送波を受信して前記放送信号を抽出するチューナを複数備えている。
【００１６】
このテレビによれば、信号取得部がチューナを複数備えていることにより、選局用画面における各映像を表示するための放送信号の抽出時間を十分に短縮することができる結果、各映像の更新時間を十分に短縮することができる。
【発明を実施するための最良の形態】
【００１７】
以下、本発明に係る表示装置およびテレビの最良の形態について、添付図面を参照して説明する。図１に示すテレビ１は、一例としてリアプロジェクション型のテレビであって、本体部２およびリモコン３を備えている。なお、このテレビ１では、後述するように、専用のリモコン３とは異なるリモコン（一例としてＡＶ機器専用のリモコン３ｘ）によって遠隔操作する際に本願特有の効果が奏されるため、テレビ１専用のリモコン３についての説明を省略する。一方、本体部２は、表示部１１、映像合成部１２、映像処理部１３、チューナ１４、制御部１５、信号処理部１６、タイマ１７および受光部１８を備えている。この場合、表示部１１、映像合成部１２、映像処理部１３、制御部１５、信号処理部１６、タイマ１７および受光部１８によって本発明に係る表示装置が構成される。なお、テレビ１は、実際には、音声出力部を備えているが、本発明についての理解を容易とするために、その図示および説明を省略する。また、このテレビ１は、一例として、チャンネル１〜１２までの１２チャンネルに対応するテレビ映像Ｐｔ１〜Ｐｔ１２（図２参照）を表示部１１（スクリーンパネル２２）に表示させることができるように構成されている。なお、図２では、チャンネル１に対応するテレビ映像Ｐｔ１が表示されている状態を図示している。また、以下、テレビ映像Ｐｔ１〜Ｐｔ１２を区別しないときには「テレビ映像Ｐｔ」ともいう。
【００１８】
表示部１１は、図１に示すように、光学エンジン２１およびスクリーンパネル２２を備えている。光学エンジン２１は、本体部２の内部に配設されて、映像合成部１２から出力された表示用信号Ｓｅに基づいて変調した投射光Ｌをスクリーンパネル２２の背面側から投射する。具体的には、光学エンジン２１は、例えば、光源と、光源からの光を投射光Ｌに変調する光変調素子（一例として、ＤＭＤ（Digital Micro Mirror Device ）や液晶ライトバルブ）と、投射光Ｌを拡大する投射レンズ（いずれも図示せず）とを備えている。なお、このテレビ１では、実際には、光学エンジン２１からの投射光Ｌが反射ミラーによって反射されてスクリーンパネル２２に投射されるが、本発明についての理解を容易とするために、その図示および説明を省略する。スクリーンパネル２２は、光学エンジン２１から投射された投射光Ｌを受光して各種映像を表示する。
【００１９】
映像合成部１２は、制御部１５の制御に従い、映像処理部１３から出力された映像データＤｐに基づき、例えば、図２に示すように、テレビ映像Ｐｔ１をスクリーンパネル２２に全面表示（以下、この表示モードを「全画面表示モード」ともいう）させるための表示用信号Ｓｅを生成して光学エンジン２１に出力する。また、映像合成部１２は、制御部１５の制御に従い、チャネル選択画面Ｐｓ１（図５参照）をスクリーンパネル２２に表示（以下、この表示モードを「多画面表示モード」ともいう）させるための表示用信号Ｓｅを生成して光学エンジン２１に出力する。この場合、チャネル選択画面Ｐｓ１は、本発明における選局用画面の一例であって、図５に示すように、表示部１１（スクリーンパネル２２）の表示領域を１２分割した各領域内にチャンネル１〜１２の各チャンネルに対応する映像（静止画像）を表示する。また、チャネル選択画面Ｐｓ１には、各チャンネルに対応する映像のうちから所望の映像（チャンネル）を選択するためのカーソルＣが表示される。
【００２０】
映像処理部１３は、例えば、ＩＦ回路、映像検波回路およびＡ／Ｄ変換部（いずれも図示せず）などを備えている。この場合、図１に示すように、映像処理部１３は、制御部１５の制御に従い、チューナ１４から出力された放送信号Ｓｂから映像信号を抽出すると共に、その映像信号に基づく映像データＤｐを映像合成部１２に出力する。チューナ１４は、本発明における信号取得部を構成し、制御部１５の制御に従って図外のアンテナで受信した放送波から、選局されたチャンネルの放送信号Ｓｂを抽出（取得）して映像処理部１３に出力する。制御部１５は、表示部１１、映像合成部１２、映像処理部１３およびチューナ１４を制御する。また、制御部１５は、信号処理部１６からの制御信号Ｓｓに応じてテレビ映像Ｐｔおよびチャネル選択画面Ｐｓ１のいずれかを表示部１１に切り替え表示させる。
【００２１】
信号処理部１６は、制御部１５、タイマ１７および受光部１８と相俟って本発明における制御部を構成し、受光部１８からの操作信号Ｓｏやタイマ１７からの情報に基づいて制御信号Ｓｓを生成して制御部１５に出力する。タイマ１７は、操作信号Ｓｏが受光部１８から出力開始されてからの経過時間を計測する。受光部１８は、テレビ１専用のリモコン３や、ＡＶ機器に付属のリモコン３ｘなどから出力された赤外線信号Ｓｉを受光して光電変換して操作信号Ｓｏを出力する。
【００２２】
一方、図２に示すリモコン３ｘは、一例としてビデオデッキ等のＡＶ機器に付属の遠隔操作装置であって、ＡＶ機器の遠隔操作が可能な各種操作ボタンが配列されて構成されている。また、リモコン３ｘは、テレビ１など（ＡＶ機器に対して外部機器）についても遠隔操作が可能に構成されている。このリモコン３ｘは、電源ボタン３１、チャンネルボタン３２Ａ〜３２Ｌ（以下、区別しないときには「チャンネルボタン３２」ともいう）、カーソルボタン３３Ａ〜３３Ｄ（以下、区別しないときには「カーソルボタン３３」ともいう）および決定ボタン３４などの各種操作ボタンが配列されて構成されている。また、リモコン３ｘは、上記各操作ボタンが操作されたときに、各操作ボタンに対応する操作信号を赤外線信号Ｓｉに変換して出力する。この場合、チャンネルボタン３２が本発明におけるチャンネル指定ボタンに相当する。また、カーソルボタン３３Ａ，３３Ｂは、テレビ１を遠隔操作する際に選局操作ボタンとして機能し、カーソルボタン３３Ａが本発明におけるアップボタンに相当すると共に、カーソルボタン３３Ｂが本発明におけるダウンボタンに相当する。さらに、カーソルボタン３３Ｃ，３３Ｄは、テレビ１を遠隔操作する際に音量選択ボタンとして機能する。
【００２３】
次に、テレビ１の全体的な動作について、図面を参照して説明する。このテレビ１では、例えばリモコン３ｘの電源ボタン３１が操作された際に、表示部１１の光学エンジン２１に電源が供給されて、光源が発光する。また、制御部１５が、チューナ１４を制御して、直前の電源切断時に選局されていたチャンネル（例えばチャンネル１）の放送信号Ｓｂを抽出させる。次いで、映像処理部１３が制御部１５の制御下で放送信号Ｓｂに基づいて映像データＤｐを生成して映像合成部１２に出力する。続いて、映像合成部１２が、映像データＤｐに基づいて表示用信号Ｓｅを生成して表示部１１の光学エンジン２１に出力する。これに応じて、光学エンジン２１が光源からの光を表示用信号Ｓｅに基づく投射光Ｌに変調してスクリーンパネル２２に投射させる。これにより、図２に示すように、チャンネル１で放送されているテレビ映像Ｐｔ１が全画面表示モードでスクリーンパネル２２に表示される。なお、本明細書において参照する各図では、例えばチャンネル１のテレビ映像Ｐｔ１を「Ｃｈ１」という文字列で表しているが、実際には、チャンネル１で放送されている映像がスクリーンパネル２２に表示される。
【００２４】
次いで、例えば、リモコン３ｘにおけるカーソルボタン３３Ａ（選局操作用のアップボタン）が操作されたときには、リモコン３ｘがカーソルボタン３３Ａの操作に対応する赤外線信号Ｓｉを出力する。この際には、受光部１８がリモコン３ｘからの赤外線信号Ｓｉを受光して信号処理部１６に操作信号Ｓｏを出力する。また、信号処理部１６は、出力された操作信号Ｓｏに基づいて降順で次のチャンネルに切り替える選局操作が行われたと判別し、その旨を示す制御信号Ｓｓを制御部１５に出力する。これに応じて、制御部１５は、チューナ１４を制御して、制御信号Ｓｓの出力前（カーソルボタン３３Ａの操作前）にスクリーンパネル２２に表示されていたテレビ映像Ｐｔのチャンネル（この例では、チャンネル１）の次のチャンネル（この例では、チャンネル２）の放送信号Ｓｂを抽出させる。次いで、映像処理部１３が放送信号Ｓｂに基づいて映像データＤｐを生成し、映像合成部１２が映像データＤｐに基づいて表示用信号Ｓｅを生成して表示部１１の光学エンジン２１に出力する。これにより、図３に示すように、チャンネル２で放送されているテレビ映像Ｐｔ２が全画面表示モードでスクリーンパネル２２に表示される。
【００２５】
一方、各チャンネルでどのような放送がされているかを確認してから選局するときには、例えば、リモコン３ｘのカーソルボタン３３Ａを３秒程度（本発明における「第１の所定時間」の一例）押し続ける（カーソルボタン３３Ａを長押し操作する）。この際には、カーソルボタン３３Ａの操作を開始した直後に、信号処理部１６がタイマ１７を制御して受光部１８から操作信号Ｓｏが出力開始されてからの経過時間を計測させると共に、制御部１５に制御信号Ｓｓを出力し、制御部１５がチューナ１４を制御して制御信号Ｓｓの出力前（カーソルボタン３３Ａの操作開始前）にスクリーンパネル２２に表示されていたテレビ映像Ｐｔのチャンネル（この例では、チャンネル２）の次のチャンネル（この例では、チャンネル３）の放送信号Ｓｂを抽出させる。次いで、映像処理部１３が放送信号Ｓｂに基づいて映像データＤｐを生成し、映像合成部１２が映像データＤｐに基づいて表示用信号Ｓｅを生成して表示部１１の光学エンジン２１に出力する。これにより、図４に示すように、チャンネル３で放送されているテレビ映像Ｐｔ３が全画面表示モードでスクリーンパネル２２に表示される。また、タイマ１７からの情報に基づいてカーソルボタン３３Ａの操作開始から３秒が経過したと判別した時点（カーソルボタン３３Ａの操作に伴う赤外線信号Ｓｉを３秒間に亘って受信した時点）で、信号処理部１６は、チャネル選択画面Ｐｓ１を表示させるための操作が行われたと判別して、その旨を示す制御信号Ｓｓを制御部１５に出力する。
【００２６】
これに応じて、制御部１５は、チューナ１４を制御して各チャンネルの放送信号Ｓｂを所定時間間隔で順次抽出させる。また、映像処理部１３が、制御部１５の制御下でチューナ１４から出力される各放送信号Ｓｂに基づいてチャネル選択画面Ｐｓ１を表示させるための映像データＤｐを生成し、映像合成部１２が、映像データＤｐに基づいて表示用信号Ｓｅを生成して表示部１１の光学エンジン２１に出力する。これにより、図５に示すように、各チャンネルで放送されている映像を多画面表示モードで一覧表示したチャネル選択画面Ｐｓ１がスクリーンパネル２２に表示される。この際に、１２チャンネルのうちからいずれかのチャンネルを選局するためのカーソルＣは、チャネル選択画面Ｐｓ１の表示前にスクリーンパネル２２に表示されていたチャンネル（この例では、チャンネル３）の次のチャンネル（この例では、チャンネル４）に対応する映像を選択した状態で表示される。なお、このテレビ１では、上記したようにカーソルボタン３３Ａを３秒以上に亘って操作したときのみならず、カーソルボタン３３Ｂおよびチャンネルボタン３２のいずれか１つのボタンが連続して３秒以上に亘って操作されたときにも、信号処理部１６が、チャネル選択画面Ｐｓ１を表示させる操作が行われたと判別して、その旨を示す制御信号Ｓｓを制御部１５に出力する。これにより、図５に示すように、各チャンネルで放送されている映像を多画面表示モードで一覧表示したチャネル選択画面Ｐｓ１がスクリーンパネル２２に表示される。
【００２７】
この際に、例えばチャンネル７を選局するときには、例えば、チャンネルボタン３２Ｇ（チャンネル７に対応付けられているチャンネル指定ボタン）を操作する。この際には、リモコン３ｘからチャンネルボタン３２Ｇの操作に対応する赤外線信号Ｓｉ（チャンネル７が選局された旨を指示する選局操作信号：本発明における「いずれかのチャンネルを指定する選局操作信号」の一例）が出力され、テレビ１の受光部１８がリモコン３ｘからの赤外線信号Ｓｉを受光して信号処理部１６に操作信号Ｓｏを出力する。また、信号処理部１６は、チャンネル７が選局されたと判別してその旨を示す制御信号Ｓｓを制御部１５に出力する。これに応じて、制御部１５は、チューナ１４を制御して、チャンネル７の放送信号Ｓｂを抽出させる。次いで、映像処理部１３が放送信号Ｓｂに基づいて映像データＤｐを生成し、映像合成部１２が、映像データＤｐに基づいて表示用信号Ｓｅを生成して表示部１１の光学エンジン２１に出力する。これにより、図６に示すように、チャンネル７で放送されているテレビ映像Ｐｔ７が全画面表示モードでスクリーンパネル２２に表示される。
【００２８】
一方、チャネル選択画面Ｐｓ１をスクリーンパネル２２に表示させている状態においてカーソルボタン３３を操作してチャンネル７を選局することもできる。具体的には、まず、図５に示すチャネル選択画面Ｐｓ１が表示されている状態（カーソルＣによってチャンネル４に対応する映像が選択されている状態）において、例えば、カーソルボタン３３Ａに対する３回の操作、または、カーソルボタン３３Ｂに対する９回の操作を行う。この際には、リモコン３ｘから出力される赤外線信号Ｓｉに応じてカーソルＣがチャネル選択画面Ｐｓ１内を移動させられて、図７に示すように、カーソルＣによってチャンネル７に対応する映像が選択された状態のチャネル選択画面Ｐｓ１がスクリーンパネル２２に表示される。この状態において、リモコン３ｘから赤外線信号Ｓｉが出力されずに例えば５秒が経過した時点（本発明における「第２の所定時間」が経過した時点）で、信号処理部１６は、チャンネル７が選局されたと判別してその旨を示す制御信号Ｓｓを制御部１５に出力する。また、信号処理部１６は、カーソルボタン３３Ａ，３３Ｂのいずれかの操作に対応する赤外線信号Ｓｉが出力されてから５秒が経過する前に、決定ボタン３４の操作に対応する赤外線信号Ｓｉ（本発明における「いずれかのチャンネルを指定する選局操作信号」の他の一例）が出力されたときにも、チャンネルボタン３２Ｇが操作されたときと同様にしてチャンネル７が選局されたと判別してその旨を示す制御信号Ｓｓを制御部１５に出力する。これに応じて、制御部１５は、チューナ１４を制御して、チャンネル７の放送信号Ｓｂを抽出させ、映像処理部１３が、放送信号Ｓｂに基づいて映像データＤｐを生成し、映像合成部１２が、映像データＤｐに基づいて表示用信号Ｓｅを生成して表示部１１の光学エンジン２１に出力する。これにより、図６に示すように、チャンネル７で放送されているテレビ映像Ｐｔ７が全画面表示モードでスクリーンパネル２２に表示される。
【００２９】
このように、このテレビ１では、第１の所定時間（この例では３秒）に亘って選局操作信号（選局操作に伴って出力される赤外線信号Ｓｉ）を受信したときに、制御部１５が各チャンネルに対応する各映像を多画面表示モードで表示するチャネル選択画面Ｐｓ１をスクリーンパネル２２に表示させる。したがって、このテレビ１によれば、例えばＡＶ機器専用リモコンや汎用リモコンなど（一例として、リモコン３ｘ）のようなテレビ１専用のリモコン３とは異なる他の各種リモコン（多画面表示モードに切替え操作するための専用ボタンを備えていないリモコン）を用いてスクリーンパネル２２にチャネル選択画面Ｐｓ１を表示させることができる。この結果、各種リモコンを用いて各チャンネルでどのような放送がされているかを確認して容易に選局することができる。
【００３０】
また、このテレビ１では、制御部１５が、各チャンネルボタン３２およびカーソルボタン３３Ａ，３３Ｂのいずれかの選局操作ボタンの操作に伴って出力される赤外線信号Ｓｉを第１の所定時間（この例では３秒）に亘って受信したときにチャネル選択画面Ｐｓ１をスクリーンパネル２２に表示させる。したがって、このテレビ１によれば、全画面表示モードにおいて選局操作を行うための上記各ボタンを操作することでチャネル選択画面Ｐｓ１をスクリーンパネル２２に表示させることができる。この結果、違和感のないボタン操作でチャネル選択画面Ｐｓ１を表示させて各チャンネルでどのような放送がされているかを確認して容易に選局することができる。
【００３１】
さらに、このテレビ１では、チャネル選択画面Ｐｓ１をスクリーンパネル２２に表示させた状態においていずれかのチャンネルを指定する選局操作信号を受信したとき（チャンネルボタン３２の操作、または決定ボタン３４の操作に伴って出力される赤外線信号Ｓｉを受信したとき）に、制御部１５が指定されたチャンネルに対応するテレビ映像Ｐｔをスクリーンパネル２２に全画面表示モードで表示させる。したがって、このテレビ１によれば、例えばＡＶ機器専用リモコンや汎用リモコンなど（一例として、リモコン３ｘ）のようなテレビ１専用のリモコン３とは異なる他の各種リモコン（多画面表示モードから全画面表示モードに切替え操作するための専用ボタンを備えていないリモコン）を用いてスクリーンパネル２２に所望のチャネルに対応するテレビ映像Ｐｔを全画面表示モードで表示させることができる。
【００３２】
また、このテレビ１では、スクリーンパネル２２に表示させたチャネル選択画面Ｐｓ１内の各映像のうちのいずれかの映像が選択された状態（カーソルＣで囲まれた状態）において予め規定された第２の所定時間（この例では５秒）が経過したときに、制御部１５が選択されている映像のチャンネルに対応するテレビ映像Ｐｔをスクリーンパネル２２に全画面表示モードで表示させる。したがって、このテレビ１によれば、例えばＡＶ機器専用リモコンや汎用リモコンなどのようなテレビ１専用のリモコン３とは異なる他の各種リモコン（多画面表示モードから全画面表示モードに切替え操作するための専用ボタンを備えていないリモコン）を用いてスクリーンパネル２２に所望のチャネルに対応するテレビ映像Ｐｔを全画面表示モードで表示させることができる。また、チャネル指定ボタンを備えていない各種のリモコンを用いて所望のチャンネルを選局してスクリーンパネル２２にテレビ映像Ｐｔを全画面表示モードで表示させることができる。
【００３３】
なお、本発明は、上記の構成に限定されない。例えば、上記のテレビ１では、本発明における信号取得部が１つのチューナ１４で構成されているが、信号取得部を構成するチューナの数はこれに限定されず、例えば２つのチューナ１４，１４を搭載してテレビを構成することができる。この場合、２つのチューナ１４，１４を備えているテレビでは、図８に示すように、本発明における選局用画面（チャネル選択画面Ｐｓ２）と主映像画面（テレビ映像Ｐｔ）とをスクリーンパネル２２に並べて表示させることができる。具体的には、例えば、図４に示すように、全画面表示モードでテレビ映像Ｐｔ３がスクリーンパネル２２に表示されている状態において、リモコン３ｘのカーソルボタン３３Ａが３秒以上に亘って操作され続けたときには（本発明における「第１の所定時間」に亘って赤外線信号Ｓｉが出力され続けたときには）、信号処理部１６は、チャネル選択画面Ｐｓ２を表示させるための操作が行われたと判別して、その旨を示す制御信号Ｓｓを制御部１５に出力する。これに応じて、制御部１５は、一方のチューナ１４で抽出した放送信号Ｓｂに基づいてテレビ映像Ｐｔ３を表示させ、他方のチューナ１４で各チャンネルに対応する各映像を順次受信してチャネル選択画面Ｐｓ２を表示させる。これにより、図８に示すように、テレビ映像Ｐｔ３とチャネル選択画面Ｐｓ２とが並んで表示される。
【００３４】
この際に、例えばチャンネル７を選局するときには、まず、図８に示すチャネル選択画面Ｐｓ２が表示されている状態（カーソルＣによってチャンネル４に対応する映像が選択されている状態）において、例えば、カーソルボタン３３Ａに対する３回の操作、またはカーソルボタン３３Ｂに対する９回の操作を行う。これにより、図９に示すように、カーソルＣによってチャンネル７に対応する映像が選択されている状態のチャネル選択画面Ｐｓ２がテレビ映像Ｐｔ３と並んでスクリーンパネル２２に表示される。次いで、カーソルボタン３３Ａ，３３Ｂの操作完了から５秒以内に決定ボタン３４を操作するか、または、カーソルボタン３３Ａ，３３Ｂの操作完了から５秒以上操作を行わないときに、信号処理部１６は、チャンネル７が選局されたと判別してその旨を示す制御信号Ｓｓを制御部１５に出力する。これに応じて、制御部１５は、チューナ１４を制御して、チャンネル７の放送信号Ｓｂを抽出させ、映像処理部１３が放送信号Ｓｂに基づいて映像データＤｐを生成し、映像合成部１２が、映像データＤｐに基づいて表示用信号Ｓｅを生成して表示部１１の光学エンジン２１に出力する。これにより、図６に示すように、チャンネル７で放送されているテレビ映像Ｐｔ７が全画面表示モードでスクリーンパネル２２に表示される。
【００３５】
このように、このテレビでは、第１の所定時間（この例では３秒）に亘って選局操作信号（選局操作に伴って出力される赤外線信号Ｓｉ）を受信したときに、制御部１５がチャネル選択画面Ｐｓ２とテレビ映像Ｐｔとをスクリーンパネル２２に並べて表示させる。したがって、このテレビによれば、チャネル選択画面Ｐｓ２と並んでスクリーンパネル２２に表示されているテレビ映像Ｐｔ（この例では、テレビ映像Ｐｔ３）を見ながら選局操作を行うことができる。また、このテレビによれば、チューナを２つ備えて本発明における信号取得部を構成したことにより、多画面表示モードにおける放送信号Ｓｂの抽出時間を十分に短縮することができる結果、例えばチャネル選択画面Ｐｓ２における各映像の更新時間を十分に短縮することができる。
【００３６】
また、光学エンジン２１およびスクリーンパネル２２を備えて表示部１１を構成した例について上記したが、本発明における表示部として、ＣＲＴ、液晶表示パネルおよびプラズマディスプレイを採用することもできる。また、チューナを別体に構成した表示装置に本発明を適用することもできる。
【図面の簡単な説明】
【００３７】
【図１】テレビ１の構成を示すブロック図である。
【図２】テレビ１およびリモコン３ｘの正面図である。
【図３】テレビ映像Ｐｔ２の表示画面図である。
【図４】テレビ映像Ｐｔ３の表示画面図である。
【図５】チャネル選択画面Ｐｓ１の表示画面図である。
【図６】テレビ映像Ｐｔ７の表示画面図である。
【図７】Ｃｈ７が選択されたチャネル選択画面Ｐｓ１の表示画面図である。
【図８】テレビ映像Ｐｔ３およびチャネル選択画面Ｐｓ２の表示画面図である。
【図９】テレビ映像Ｐｔ３、およびＣｈ７が選択されたチャネル選択画面Ｐｓ２の表示画面図である。
【符号の説明】
【００３８】
１  テレビ、２  本体部、３，３ｘ  リモコン、１１  表示部、１４  チューナ、１５  制御部、１６  信号処理部、１７  タイマ、１８  受光部、３２Ａ〜３２Ｆ  チャンネルボタン、３３Ａ〜３３Ｄ  カーソルボタン、３４  決定ボタン、Ｃ  カーソル、Ｐｔ１〜Ｐｔ１２  テレビ映像、Ｐｓ１，Ｐｓ２  チャネル選択画面、Ｓｂ  放送信号、Ｓｅ  表示用信号、Ｓｉ  赤外線信号、Ｓｏ  操作信号、Ｓｓ  制御信号
【図１】
2006101089.tif 000003
【図２】
2006101089.tif 000004
【図３】
2006101089.tif 000005
【図４】
2006101089.tif 000006
【図５】
2006101089.tif 000007
【図６】
2006101089.tif 000008
【図７】
2006101089.tif 000009
【図８】
2006101089.tif 000010
【図９】
2006101089.tif 000011